(57)【特許請求の範囲】
【請求項１】
上方に開口部を有して沐浴用の液体を貯液可能に形成した桶本体を具備して形成した乳幼児沐浴用手桶であって、
上記桶本体における上記開口部の近傍部分に、乳幼児の額に当接させる弾性当接部を形成し、
上記弾性当接部は、乳幼児の額の形状に応じて弾性変形する弾性を有し、
上記弾性当接部を平面状に形成した
乳幼児沐浴用手桶。
【請求項２】
上記弾性当接部を、シート状に形成するとともに、上記桶本体の側壁面の一部として備え、
上記弾性当接部を、
上記桶本体の側壁面における、該弾性当接部の近傍部位と面一になるよう形成した
請求項１に記載の乳幼児沐浴用手桶。
【請求項３】
上記弾性当接部を、乳幼児の額が当接可能な弾性変形量を有する厚みを備えて形成するとともに、上記桶本体に対して外側に具備した
請求項１、又は、請求項２に記載の乳幼児沐浴用手桶。
【請求項４】
上記桶本体の内部空間を仕切る仕切り部材を、上記桶本体の内部空間に備えた
請求項１から請求項３のうちいずれか１項に記載の乳幼児沐浴用手桶。
【請求項５】
上記仕切り部材を、上記桶本体の内壁面に対して取り付け、或いは、取り外し可能に形成した
請求項４に記載の乳幼児沐浴用手桶。
【請求項６】
上記仕切り部材を、上記開口部を正面視したとき、上記弾性当接部に対して垂直な垂直方向成分が、該弾性当接部に対して水平な水平方向成分と比較して大きくなるよう内部空間に配置した
請求項４、又は、請求項５に記載の乳幼児沐浴用手桶。
【請求項７】
上記開口部の縁部における、上記弾性当接部の幅方向の両側部位に、沐浴用の液体が上記桶本体から流出することを阻止する流出阻止部を具備した
請求項１から請求項６のうちいずれか１項に記載の乳幼児沐浴用手桶。
【発明の詳細な説明】
【技術分野】
【０００１】
この発明は、沐浴用手桶に関し、さらに詳しくは、乳幼児の洗髪の際に用いるのに特に好ましい乳幼児用沐浴用手桶に関する。
【背景技術】
【０００２】
乳幼児の沐浴には、シャワーが用いられることがしばしばあるが、シャワーを用いた場合、例えば、シャワーヘッドから流出するシャワーの水圧を弱めただけでお湯の温度が所望の温度よりも予想以上に高くなり、シャワーの水圧と温度の調節に手間を要することや、シャワーを開始してから一定の温度に安定するまでに時間を要するなどの課題を有する。
【０００３】
すなわち、乳幼児に対して強い水圧を付与してしまうことや、火傷の危険も伴うおそれも有するため、シャワーは、乳幼児の沐浴には不向きであるといえる。
【０００４】
このため、乳幼児の沐浴には、あえて昔ながらに用いられてきた沐浴用の手桶を用いることが多い。
【０００５】
上記沐浴用の手桶の中でも乳幼児沐浴用の手桶としては、下記特許文献１において、乳幼児入浴用片手桶が開示されている。
【０００６】
上記特許文献１における乳幼児入浴用片手桶は、桶本体の開口部外周から樋状の握り柄を設け、上記握り柄の先端部には、複数のじょうろ用孔を設けている。  
上記乳幼児入浴用片手桶を用いて乳幼児を沐浴する場合は、握り柄を把持して浴槽から湯を汲む。そして、乳幼児に湯を掛けるときは、例えば、乳幼児入浴用片手桶における、握り柄以外の部位に持ち替えて、乳幼児における湯をかけたい部位へ、乳幼児入浴用片手桶における握り柄の側を傾けることで、該握り柄を通じて水をかけることができる。
【０００７】
上記特許文献１によれば、上記乳幼児入浴用片手桶は、上記手順により乳幼児に対して少しずつ定量の湯をかけることができる旨の記載がなされている。
【０００８】
しかし、上記乳幼児入浴用片手桶は、例えば、乳幼児の頭部を洗髪する際に、乳幼児の頭部に対して水をかけた場合、頭部から顔へ水が流下してしまうという難点を有する。この対策として仮に、乳幼児の顔に水が流下しないように乳幼児を仰向けにした状態で洗髪することも考えられるが保護者にとっては労力を要するし、乳幼児に恐怖心を与えてしまう場合もある。
【０００９】
また、上記乳幼児入浴用片手桶は、上述したように、浴槽から湯を汲むときは、握り柄を把持し、乳幼児に湯をかけるときは、握り柄でない他の部位を握ることになる。すなわち、上記乳幼児に湯をかけるまでの一連の動作中において、いちいち上記乳幼児入浴用片手桶を持ち替える必要があるため、面倒である。
【００１０】
その他にも、桶本体に対して握り柄が突き出した形態であるため、不使用時においては、握り柄が邪魔になるといった難点を有する。
【００１１】
【特許文献１】特開平０９−３７９８４号公報
【発明の開示】
【発明が解決しようとする課題】
【００１２】
そこで本発明では、乳児の顔に水が流下することがなく、しかも、頭部全体を斑なくしっかりと、且つ、スムーズに洗髪することができる乳幼児沐浴用手桶の提供を目的とする。
【課題を解決するための手段】
【００１３】
本発明の乳幼児沐浴用手桶は、上方に開口部を有して沐浴用の液体を貯液可能に形成した桶本体を具備して形成した乳幼児沐浴用手桶であって、上記桶本体における上記開口部の近傍部分に、乳幼児の額に当接させる弾性当接部を形成し、上記弾性当接部は、乳幼児の額の形状に応じて弾性変形する弾性を有し、上記弾性当接部を平面状に形成したことを特徴とする。
【００１４】
上記弾性当接部は、例えば、ゴム、ウレタン（発泡ウレタンも含む）、スポンジなどの弾性部材、若しくは、例えば、シート状の部材に空気を充填させて額が当接可能な形態で形成した撥水性の有する部材を示す。
【００１５】
さらに、上記弾性当接部を、シート状に形成するとともに、上記桶本体の側壁面の一部として備え、上記弾性当接部を、上記桶本体の側壁面における、該弾性当接部の近傍部位と面一になるよう形成することが好ましい。
【００１６】
上記乳幼児沐浴用手桶は、上記弾性当接部を、乳幼児の額が当接可能な弾性変形量を有する厚みを備えて形成するとともに、上記桶本体に対して外側に具備して形成することもできる。
【００１７】
さらに、本発明の乳幼児沐浴用手桶は、上記桶本体の内部空間を仕切る仕切り部材を、上記桶本体の内部空間に備えることが好ましい。
【００１８】
上記仕切り部材は、上記桶本体内を完全に独立した空間に仕切る場合に限定せず、上記桶本体内を部分的に仕切る形態であってもよい。
【００１９】
さらに、上記仕切り部材は、上記桶本体の内壁面に対して取り付け、或いは、取り外し可能に形成することが好ましい。
【００２０】
また、本発明の乳幼児沐浴用手桶は、上記仕切り部材を、上記開口部を正面視したとき、上記弾性当接部に対して垂直な垂直方向成分が、該弾性当接部に対して水平な水平方向成分と比較して大きくなるよう内部空間に配置することができる。
【００２１】
さらにまた、上述した乳幼児沐浴用手桶は、上記開口部の縁部における、上記弾性当接部の幅方向の両側部位に、沐浴用の液体が上記桶本体から流出することを阻止する流出阻止部を具備することができる。
【発明の効果】
【００２２】
請求項１に係る発明によれば、上記弾性当接部を乳幼児の額に軽く押し当てるだけで、該弾性当接部が乳幼児の額の形状に弾性変形するため、上記弾性当接部を額に対して隙間なく当接させることができる。
【００２３】
よって、上記桶本体から液体を流出させたとき、乳幼児の額を通じて顔に液体が流下してしまうこともないため、本発明における乳幼児沐浴用手桶を用いれば、乳幼児を、快適な状態で洗髪することができる。
【００２４】
さらに、上記弾性当接部を乳幼児の額に当接することで乳幼児の頭部が動かないよう固定することができるという効果も奏でることができる。しかも、その際、上記弾性当接部は、弾性を有するため、乳幼児は、痛みや圧迫感を感じることがない。
【００２５】
さらにまた、上記弾性当接部を平面状に形成している。このため、乳幼児の額に対して上記弾性当接部を当接させ易く、当接させたとき、該弾性当接部を面接触させることができる。
【００２６】
このため、少し当てるだけで弾性当接部と額との間の隙間を除去できるため、確実に液体が頭部から顔へ流れ落ちることを防ぐことができる。
【００２７】
さらに、上記弾性当接部を、桶本体の側壁面に対して一体に取り付け易くなる。  
つまり、異なる部材どうしであっても１つの部材のように例えば、面一により一体に形成し易くなる。
【００２８】
請求項２に係る発明によれば、上記弾性当接部を、シート状に形成するとともに、上記桶本体の側壁面の一部として備え、さらに、上記桶本体の側壁面における、該弾性当接部の近傍部位と面一になるよう形成している。このため、その表面に凹凸がなく、さらに桶本体の側壁面の本来の厚みのまま薄肉を維持することができ、スマートで洗練された外観で形成することができる。
【００２９】
請求項３に係る発明によれば、弾性当接部を桶本体に対して外側に具備することにより、優れた防水作用を発揮することができるのは勿論、構成がシンプルであり容易に製造することができる。
【００３０】
請求項４に係る発明によれば、桶本体の内部空間に仕切り部材を備えることにより、弾性当接部の影響を受けないで液体が開口部から流出するよう、液体の流れを規制することができる。よって、乳幼児の頭部の全体を斑なく洗髪することができる。
【００３１】
すなわち、桶本体の内部空間に仕切り部材を備えることにより、開口部から流出しようとする液体は、その流出を、上記弾性当接部が桶本体に対して内側へ弾性変形した弾性当接部によって、物理的に阻害されることがない。
【００３２】
請求項５に係る発明によれば、上記仕切り部材は、上記桶本体の内壁面に対して取り外し可能に形成すれば、例えば、洗髪する際に、規制部材を桶本体の内壁面に対して取り付けて用い、洗髪以外の目的で乳児の体を沐浴する際には、規制部材を取り外して用いるなど、用途に応じて任意に取り付けたり取り外したりして用いることができる。
【００３３】
その他にも、異なる形態の仕切り部材に取り換えることにより、桶本体における配置を換えることができるため、開口部において流出する部位を変更することができる。
【００３４】
請求項６に係る発明によれば、乳幼児沐浴用手桶を少し傾けただけでも、桶本体内へ弾性変形する弾性当接部の影響を受けずに確実に桶本体内の液体を確実に外部へ流出させることができる。
【００３５】
すなわち、桶本体内において仕切り部材を、上述したような形態により配することにより、該仕切り部材を伝って外部へ流出しようとする桶本体内の液体が該仕切り部材を隔てて反対側の空間に入り込んでしまうおそれがなくなるため、開口部から均一に液体を流出させることができる。
【００３６】
請求項７に係る発明によれば、流出阻止部を、上記開口部の縁部における、上記弾性当接部の幅方向の両側部位に具備する形態を採るため、該弾性当接部の幅方向の両側から液体が流出することを阻止することができる。
【００３７】
このため、幼児の洗髪の際に、桶本体から流出した沐浴用の液体が幼児の頭部において拡散しすぎることがなく、開口部に対して外側を通じて幼児の顔の方へ流下してしまうことを回避することができる。
【発明を実施するための最良の形態】
【００３８】
この発明の一実施形態を、以下図面を用いて説明する。
【実施例１】
【００３９】
図１は、実施例１における幼児沐浴用手桶１０の外観を示す。  
上記図１に示したように、本実施例における幼児沐浴用手桶１０は、有底筒状に形成した桶本体１２、該桶本体１２から突設された取手１３、及び、上記桶本体１２内に取り付けられ、桶本体１２内の空間を仕切る仕切り板１４を具備して形成している。
【００４０】
具体的に、上記桶本体１２は、該桶本体１２における上端に開口部１７を有して形成し、該桶本体１２における側面部は、桶本体１２を縦方向（上下方向）に略２等分割した一方の側を半円筒状に形成するとともに、該半円筒状に形成している側面部に対して対向する側の側面部を、平面状に形成している。
【００４１】
ここで、上記半円筒状に形成している側面部を、円筒状側面部１２ａに設定し、上記平面状に形成している側面部を平面状側面部１２ｂに設定する。
【００４２】
ちなみに、上記平面状側面部１２ｂは、少なくとも乳児の額の幅に相当する幅を有して形成し、円筒状側面部１２ａは、その下端部から上方に進むにつれて口径が大きくなるよう断面視テーパ状に形成している。
【００４３】
さらに、桶本体１２は、図２に示したように、平面視したとき、上記円筒状側面部１２ａにおける両端部位と上記平面状側面部１２ｂにおける両端部とを、一体に形成している。
【００４４】
上記桶本体１２は、略全体が合成樹脂製であるが、上記平面状側面部１２ｂにおける上部は、半楕円弧状に切り欠いた形態で成形されている。さらに、図３、及び、図４に示したように、上記半楕円弧状に切り欠いた部位において、該切り欠いた部位と略同形のゴムシート１９を、具備して形成している。
【００４５】
上記ゴムシート１９は、上記平面状側面部１２ｂの一部を形成しているとともに、図３の領域Ｘにおける拡大図に示したように上記平面状側面部１２ｂにおけるゴムシート１９以外の部位と面一に形成している。
【００４６】
ちなみに、本実施例における幼児沐浴用手桶１０は、周知の２色成形法により成形しているが、まず、該幼児沐浴用手桶１０における上記ゴムシート１９以外の合成樹脂製の部位のみを上記形態に成形し、さらに、異なる材質のゴムシート１９とともに一体に成形することで半楕円弧状に切り欠いた部位とゴムシート１９における互いの縁部どうしが密着した状態になるよう一体に形成している。勿論、幼児沐浴用手桶１０は、２色成形法に限定せず、インサート成形や、アセンブリ法（後付け）など他の成形方法で形成してもよい。
【００４７】
続いて、上記取手１３は、上記円筒状側面部１２ａの上部における周方向の中央部から突設しいているが（図２参照）、合成樹脂により桶本体１２と上記一体成形により形成している。上記取手１３は、側面視すると、上記円筒状側面部１２ａにおける上部から略水平に突き出した後、下方へ向けて突き出して把持可能な形態で形成している（図３参照）。  
なお、上記取手１３は、幅方向の中央部を、断面視略Ｕ字形に取手１３の長さ方向に沿って形成するとともに、把持し易いよう、円筒状側面部１２ａに対向する部位に腹部を形成している。
【００４８】
最後に、上記仕切り板１４は、図５に示したように、上記桶本体１２の内部に、起立させた状態で、しかも、上記桶本体１２における上記平面状側面部１２ｂに対して略平行（水平）になる取り付け形態で取り付けられている。上記仕切り板１４は、合成樹脂により板状に形成するとともに、上下方向における各部位において断面視弓状に形成している（図２参照）。
【００４９】
さらに、仕切り板１４は、正面視略台形形状に形成し、その台形形状の幅方向の両側における傾斜は、該台形形状の幅方向の両側に対応する桶本体１２の内側面部の壁面における傾斜と等しい傾斜に形成している。
【００５０】
また、桶本体１２における内周側における上記仕切り板１４が取り付いている部位の両縁部沿いには、図２の要部拡大図、及び、図３の領域Ｙの要部拡大図に示したように、取付けガイド部２１ａをレール状に一対、並設している。
【００５１】
これに対して、上記仕切り板１４が桶本体１２に取り付いた状態において、上記桶本体１２に対向する仕切り板１４における端部部位には、上記取付けガイド部２１ａに取り付け可能な被取付けガイド部２１ｂを鍔状に形成している（上記図２の要部拡大図、及び、図３の領域Ｙの要部拡大図参照）。
【００５２】
上記取付けガイド部２１ａは、断面視凸状に形成している。その間に上記被取付けガイド部２１ｂを嵌め込み可能に形成している。
【００５３】
また、図４の要部拡大図に示したように、桶本体１２の取付けガイド部２１ａの間における上端部には、係合爪２２ｂを形成している。
【００５４】
これに対して、上記仕切り板１４の幅方向における両側に有する被取付けガイド部２１ｂの上端部に相当する部位には、上記係合爪２２ｂに係合可能な被係合爪２２ａを突設している。  
仕切り板１４は、桶本体１２に取り付けたとき、上記係合爪２２ｂに上記被係合爪２２ａが係合されるため、桶本体１２に対して特に上下方向において位置決めされる。
【００５５】
上記仕切り板１４は、上記桶本体１２に取り付けたとき、仕切り板１４によって仕切られた上記桶本体１２の内部空間における一方の空間と、他方の空間とがそれぞれ略同一の容積になり、且つ、ゴムシート１９を桶本体１２の内側へ弾性変形させた場合であっても、該ゴムシート１９と接触しない間隔を隔てて上記桶本体１２の内部の空間において、配されている。
【００５６】
ここで、上記桶本体１２の内部空間における上記一方の空間、すなわち、桶本体１２内における仕切り板１４に対して平面状側面部１２ｂの側の空間部を第１貯液部１５に設定する。さらに、上記桶本体１２の内部空間における上記他方の空間、すなわち、桶本体１２内における仕切り板１４に対して円筒状側面部１２ａの側の空間部を第２貯液部１６に設定する（図２、及び、図３参照）。
【００５７】
実施例１における幼児沐浴用手桶１０は、上述したように形成するものとし、以下、幼児沐浴用手桶１０を用いて保護者が幼児Ａを洗髪する手順について説明する。  
まず、保護者は、取手１３を把持し、浴槽から湯Ｂを桶本体１２内に、例えば７割から８割程度、貯液されるよう汲み上げる。そして、保護者は、桶本体１２内に指を入れるなどして貯液された湯Ｂの温度が沐浴に適した温度であるか否か確認する（図示せず）。
【００５８】
続いて、保護者は、取手１３を把持したまま、幼児沐浴用手桶１０を、傾けずに幼児Ａの顔の前方に臨ませるとともに、取手１３を把持していないもう片方の手を例えば、幼児Ａの顎の下に添えて幼児Ａの頭部を支持する。さらに、幼児沐浴用手桶１０を少し傾けて幼児Ａの額に幼児沐浴用手桶１０におけるゴムシート１９を当接させる。
【００５９】
この状態で、少しずつ幼児Ａの頭部を傾けるとともに、幼児沐浴用手桶１０を頭部の側へ、さらに傾けることにより、図６に示したように、桶本体１２内の湯Ｂを、開口部１７を通じて頭部の側へ注ぐことができる。
【００６０】
上述した実施例１における幼児沐浴用手桶１０は、以下に示す効果を奏することができる。  
ゴムシート１９は、額に当接させることにより、幼児Ａの額の形状にあわせて弾性変形し、該ゴムシート１９の弾性力により、額に対して、隙間がないよう当接させることができる。このため、幼児Ａの頭部へ注がれた湯Ｂが幼児Ａの顔へ垂下することを防ぐことができる。
【００６１】
従って、幼児Ａは、水嫌いになることがなく、スムーズに沐浴させることができる。  
さらに、幼児Ａの頭部周りに例えば、水除用の帽子などを装着することがなく、幼児Ａの額にゴムシート１９を当接するだけなので、幼児Ａは、圧迫感や傷みなどを感じることもない。
【００６２】
その他、ゴムシート１９を当接させることで、沐浴の際に幼児Ａの頭部が動かないよう固定することができるという効果も奏することができる。
【００６３】
また、上記平面状側面部１２ｂにおいてゴムシート１９を他の部位と一体、且つ、面一により形成することで、表面に凹凸がなく、しかも平面状側面部１２ｂを薄肉に保つことができるため、すっきりとした軽量感の溢れる、優れた意匠に形成することができる。
【００６４】
次に、桶本体１２内において貯液した湯Ｂの流出に着目する。  
桶本体１２内に貯液した湯Ｂを幼児Ａの頭部に注ぐ際において、ゴムシート１９は、幼児Ａの額に当接させた状態であるため、弾性変形する。これにより、ゴムシート１９は、桶本体１２内において膨出した形態となる。さらに、上記ゴムシート１９は、上記平面状側面部１２ｂの開口部１７手前側において具備されるとともに、幼児沐浴用手桶１０を傾けた状態において開口部１７の周縁部１７ｃにおける下部側に位置する。
【００６５】
このため、桶本体１２内に仕切り板１４を配していなければ、開口部１７手前側において有する弾性変形したゴムシート１９によって、湯Ｂの流出は阻害される。
【００６６】
つまり、幼児沐浴用手桶１０を傾けても、このままでは、桶本体１２内において貯液された湯Ｂは、開口部１７におけるゴムシート１９の有する部位を除いた部位である該開口部１７の幅方向における両側部位からしか積極的に流出しないという課題が生じてしまう。
【００６７】
ところが、本実施例における幼児沐浴用手桶１０は、桶本体１２に仕切り板１４を取り付けて、桶本体１２内に、２つの空間部、すなわち、第１貯液部１５、及び、第２貯液部１６を形成している。
【００６８】
このため特に、第２貯液部１６に貯液された湯Ｂが流出する際には、弾性変形したゴムシート１９によって湯Ｂの流出が阻害されることがない。しかも、仕切り板１４は、幅方向において断面視弓状に形成しているため、第２貯液部１６に貯液された湯Ｂを、開口部１７における、幅方向の中央部、すなわち、ゴムシート１９の有する部位から積極的に流出させることができる。
【００６９】
そして、第１貯液部１５に貯液された湯Ｂが流出する際には、弾性変形したゴムシート１９によって湯Ｂは、上述したように該ゴムシート１９の有する部位からの流出を阻害されるが、開口部１７における幅方向の両側から積極的に流出することになる。
【００７０】
以上により、本実施例における幼児沐浴用手桶１０は、幼児Ａの額にゴムシート１９を当接させることにより、顔に湯Ｂが流出することを防ぐことができるとともに、弾性変形したゴムシート１９の影響を受けずに、桶本体１２に貯液された湯Ｂを、開口部１７の幅方向の全体から略均一に流出させることができる。
【００７１】
従って、本実施例における幼児沐浴用手桶１０を用いれば、幼児Ａの頭部全体に湯Ｂが注がれるように開口部１７から均一に湯Ｂが流出するため、例えば、ゴムシート１９が額に当接した状態から開口部１７の向きをずらすなどしなくても洗い残しなどがなく確実に洗髪することができる。さらに、幼児Ａの顔に湯Ｂが垂下してしまうことなく、スムーズに洗髪することができる。
【００７２】
以下では、他の実施例における幼児沐浴用手桶について説明する。  
特に、後述する実施例２から実施例７における幼児沐浴用手桶２０，３０，４０，５０，６０，７０、及び、実施例１３における幼児沐浴用手桶１４０は、上述した実施例１に示したような形態を採る仕切り板１４は具備しておらず、該仕切り板１４とは異なる形態を採る仕切り板２４，３４，４４，５４，６４，７４，１４４（仕切り部材）をそれぞれ具備している。  
よって、実施例２から実施例７、及び、実施例１３においては、各実施例における仕切り部材の構成、及び、特徴を中心に説明し、実施例１における幼児沐浴用手桶１０と同様の構成を採る部位については、その説明を省略する。
【００７３】
さらに、以下の実施例における仕切り部材２４，３４，４４，５４，６４，７４は、上述した実施例１のように桶本体１２に対して、着脱式に形成しておらず、一体に成形した形態を採るが、勿論、実施例１における仕切り板１４のように桶本体１２に対して着脱式に形成してもよい。
【実施例２】
【００７４】
実施例２における幼児沐浴用手桶２０は、図７（ａ），（ｂ）に示したように、形成している。  
具体的に、本実施例における仕切り板２４は、桶本体１２内における、上記平面状側面部１２ｂの幅方向における中央部位を除いた両側に相当する各部位に、上記平面状側面部１２ｂに対して垂直方向成分を、水平方向成分と比較して積極的に有する形態で配している。
【００７５】
換言すると、開口部１７を上記平面状側面部１２ｂが底面に相当する状態で平面視したとき、略縦方向（上下方向）の各仕切り板２４が略「Ｖ」の字形になるよう形成している。
【００７６】
さらに、上記仕切り板２４の長手方向については、桶本体１２内の底面側から上端部の手前部位まで形成している。よって、仕切り板２４は、上記平面状側面部１２ｂの幅方向の中央部に相当する中央の空間部と、その両側に有する２つの隅部側の空間部との合計３つの空間部に区分けすることができる。
【００７７】
ここで、上記平面状側面部１２ｂの幅方向の中央部に相当する中央の空間部を中央貯液部２５に設定するとともに、上記平面状側面部１２ｂの幅方向の各側に有する隅部側の空間部を隅部側貯液部２６に設定する。
【００７８】
さらに、上記仕切り板２４における上記ゴムシート１９と対向する部位には、ゴムシート１９が弾性変形可能な切り欠き部２４ａを形成している。上記切欠き部２４ａは、該切欠き部２４ａの縁部２４ａａが、弾性変形したゴムシート１９に当接する切り欠き量により形成している。
【００７９】
実施例２における幼児沐浴用手桶２０は、上述した形態により形成している。  
上記幼児沐浴用手桶２０は、実施例１で説明したように、幼児Ａの額に当接させて桶本体１２内の湯Ｂを、開口部１７を通じて頭部へ向けて流出させることができる。
【００８０】
具体的に、図８に示したように、仕切り板２４には、切欠き部２４ａを形成しているため、ゴムシート１９を額に当接させたとき、ゴムシート１９は、仕切り板２４に阻害されることがなく、弾性変形することができる。しかも、額の形状に応じて充分、弾性変形したゴムシート１９は、仕切り板２４における切り欠き部２４ａの縁部２４ａａに当接することになるため、桶本体１２の開口部１７に相当する部位においても中央貯液部２５、及び、隅部側貯液部２６のそれぞれ独立した空間を構成することがきる。
【００８１】
ここで、中央貯液部２５に着目すると、該中央貯液部２５に貯液された湯Ｂは、その幅方向の両側が仕切り板２４によって仕切られているとともに、規制されているため、桶本体１２内の幅方向全体について広がることがない（図８参照）。
【００８２】
よって、幼児沐浴用手桶２０を傾けたとき、上記中央貯液部２５に貯液された湯Ｂは、桶本体１２内において弾性変形したゴムシート１９の膨出量よりも高い水位を確保し易くなるため、桶本体１２内に弾性変形したゴムシート１９によって、開口部１７を通じて流出することを阻害されることなく流出することができる。
【００８３】
特に、本実施における幼児沐浴用手桶２０は、平面状側面部１２ｂを底面とした状態で開口部１７を平面視したとき、実施例１における幼児沐浴用手桶１０のように、開口部１７における上下各側に空間部（第１貯液部１５、及び、第２貯液部１６）を有する形態ではなく、開口部１７の幅方向において区分けされた空間部（中央貯液部２５、及び、隅部側貯液部２６，２６）を有する形態を採る。
【００８４】
このため、桶本体１２内の湯Ｂを幼児Ａの頭部側へ少しづく流出させて洗髪する場合であっても、例えば、上方の空間部（第２貯液部１６）から流れ出ようとする湯Ｂが仕切り板２４の裏面を伝って下方の空間（第１貯液部１５）へ流れ込んでしまうといった事態が生じることなく、本実施における幼児沐浴用手桶２０は、中央貯液部２５内の湯Ｂを、開口部１７を通じてダイレクトに外部へ、すなわち、幼児Ａの頭部へ向けて流出させることができるという効果を得ることができる（図８の矢印参照）。
【実施例３】
【００８５】
続いて、実施例３における幼児沐浴用手桶３０について説明する。  
本実施例３における幼児沐浴用手桶３０は、図９（ａ），（ｂ）に示したように形成している。  
本実施例における仕切り板３４は、上記平面状側面部１２ｂにおける幅方向の中央部を除いた各側において略垂直方向に形成している（図９（ａ）参照）。
【００８６】
但し、本実施例における仕切り板３４の長手方向については、桶本体１２内の底面から上記平面状側面部１２ｂにおけるゴムシート１９の下側部位までしか形成していない（図９（ｂ））。
【００８７】
上記構成を採る幼児沐浴用手桶３０を傾けたとき、本実施例における仕切り板３４は、図１０に示したように、桶本体１２内において幅方向に広がらないよう規制することで、結果的に仕切り板３４の間に有する湯Ｂが開口部１７の方向へ流れるよう規制することができる。
【００８８】
このため、仕切り板３４の間に有する、該仕切り板３４によって規制された湯Ｂが流出する際に、弾性変形するゴムシート１９に衝突した場合でも、その後に連続的に流れで出ようとする湯Ｂを仕切り板３４の間において一時的に確保できる。
【００８９】
すなわち、幼児沐浴用手桶３０を傾けたとき、弾性変形するゴムシート１９を乗り越えて流出するだけの湯Ｂを、一時的に仕切り板３４の間に貯液することができる。このため、幼児沐浴用手桶３０は、桶本体１２内にゴムシート１９が弾性変形しても、該ゴムシート１９の有する部位から湯Ｂを流出させることができる（図１０参照）。
【００９０】
従って、本実施例における幼児沐浴用手桶３０は、上述した実施例における幼児沐浴用手桶３０と同様に幼児Ａの顔に湯Ｂが流下することを防ぎつつ、開口部１７から均一に湯Ｂを流出することができるという効果を奏することができることに加えて、仕切り板３４を格段にシンプルに形成することができるという効果も得ることができる。
【実施例４】
【００９１】
次に、実施例４における幼児沐浴用手桶４０について説明する。  
実施例４における幼児沐浴用手桶４０は、図１１に示したように、形成している。  
具体的には、本実施例における仕切り板４４は、実施例２における仕切り板２４のように、桶本体１２内における上記平面状側面部１２ｂの幅方向の両端側における各側に、上記平面状側面部１２ｂに対して略垂直方向に配している。
【００９２】
但し、実施例４における上記２枚の仕切り板４４は、上記平面状側面部１２ｂが底面に相当するよう開口部１７を平面視したとき、略「ハ」の字形になるよう形成している。
【００９３】
さらに、実施例４における仕切り板４４には、実施例２における仕切り板２４のように、切り欠き部２４ａは形成していない。
【００９４】
上述したように本実施例における一対の仕切り板４４は、図１２に示したように、開口部１７を正面視したとき、上記円筒状側面部１２ａから上記平面状側面部１２ｂに近づくにつれて互いの間隔が徐々に広くなるよう略「ハ」の字形で形成することにより、ゴムシート１９が桶本体１２内へ弾性変形することを阻害しない形態で形成することができる。このため、例えば、本実施例における仕切り板２４は、切り欠き部２４ａなどを形成する必要がない。
【００９５】
そして、本実施例における幼児沐浴用手桶４０も、実施例２における幼児沐浴用手桶２０と同様に、中央貯液部２５に貯液される湯Ｂをダイレクトに開口部１７における幅方向の中央相当部から外側へ流出させることができる（図１２中矢印参照）。
【実施例５】
【００９６】
このように、仕切り部材は、上述した仕切り板１４，２４，３４，４４のように、様々な形態により形成することができるが、その他にも、以下のように形成することができる。  
例えば、実施例５における幼児沐浴用手桶５０のように、すなわち、図１３に示したように形成することができる。実施例５における幼児沐浴用手桶５０は、本実施例における仕切り板５４によって、円筒状側面部１２ａの側における周方向の中央空間部に中間貯液部２５を形成している。
【００９７】
桶本体１２内に本実施例のような仕切り板５４を配して構成しても、やはり上述した実施例における仕切り板２４，３４，４４を具備した場合と同様に、桶本体１２内において貯液した湯Ｂが幅方向に広がることなく、外部へ流出させることができるという効果を奏することができる。
【００９８】
すなわち、桶本体１２内における中間貯液部２５以外に貯液された湯は、桶本体１２内で弾性変形するゴムシート１９の影響により開口部１７の幅方向における両側から積極的に流出する。
【００９９】
これに対して、桶本体１２内における中間貯液部２５に貯液された湯は、流出の際に桶本体１２内で弾性変形するゴムシート１９の影響を受けないため、開口部１７の幅方向における中央部、つまり、弾性変形したゴムシート１９の有する部位から積極的に流出する。  
このため、本実施例における幼児沐浴用手桶５０は、結果的に開口部１７から均一に湯Ｂを流出させることができる。
【実施例６】
【０１００】
また、本発明における幼児沐浴用手桶は、実施例６における幼児沐浴用手桶６０のように形成することができる。  
すなわち、本実施例における仕切り板６４は、例えば、実施例１における仕切り板６４と形態が似ているが、図１４に示したように、実施例１における仕切り板１４に対してその上端部における幅方向の中間部に溝部６４ａを有する形態で形成している。
【０１０１】
このように、仕切り板６４に溝部６４ａを形成することにより、たとえ、桶本体１２から少しずつ湯Ｂを流出させるために、幼児沐浴用手桶６０をゆっくりと傾けても、第２貯液部１６から流れ出ようとする湯Ｂが仕切り板６４の裏面側を伝って下側の第１貯液部１５に垂下してしまうことを完全に防止することができる。
【０１０２】
従って、実施例６における幼児沐浴用手桶６０においても、第２貯液部１６から外部へ流れ出ようとする湯Ｂを、確実に開口部１７の幅方向における中央部部位から外側へ流出させることができるため、弾性変形するゴムシート１９による影響を受けずに、開口部１７の幅方向の全体から流出させることができる。
【実施例７】
【０１０３】
また、本発明における幼児沐浴用手桶７０は、実施例７における幼児沐浴用手桶７０のように形成することができる。  
具体的には、実施例７における仕切り板７４は、図１５に示したように、桶本体１２内の幅方向における各側に取り付けられた固定部７５と、該固定部７５に対してスライド可能に可動する可動部７６を具備して構成している。
【０１０４】
上記固定部７５は、幅方向において断面視弓状に形成しているが、幅方向の中間部には、長手方向に沿って、断面視凹状の凹底部７５ａを形成している。これに対し、上記可動部７６は、樋状に形成し、上記固定部７５における上記凹底部７５ａにおける幅方向の両端に対してスライド可能に係合している。
【０１０５】
さらに、可動部７６は、固定部７５に対してスライドさせたとき、所定の各部位において位置決めすることができる。
【０１０６】
具体的に、上記固定部７５における可動部７６との対向部位には、複数の位置決め突部７５ｂを長さ方向における所定の各部位に配設し、可動部７６における上記固定部７５の上記対向部位に対向する部位に、上記位置決め突部７５ｂに嵌め込み可能な位置決め凹部７６ｂを１つ形成し、位置決め可能に構成している。
【０１０７】
上記構成により、例えば、浴槽の湯Ｂを汲む場合においては、可動部７６を固定部７５に対して収縮させた状態で湯Ｂを汲むことができ、幼児Ａの頭部に湯Ｂを流下させるときには、上記可動部７６を、上記固定部７５に対してスライドさせて、開口部１７から突き出した状態に位置決めして用いることができる。
【０１０８】
このとき、第２貯液部１６に貯液された湯Ｂは、一旦、固定部７５を伝って可動部７６に溜まり、該可動部７６の先端から一気に流出させることができる。
【０１０９】
すなわち、上記可動部７６を、上記固定部７５に対して伸ばした状態であれば、可動部７６は、開口部１７の外側に対して突き出した形態となるため、幼児沐浴用手桶７０を傾けたとき、第２貯液部１６から流出しようとする湯Ｂは、第１貯液部１５に流れ込むこともなく、確実に開口部１７に対して外側へ流出させることができる。
【０１１０】
従って、実施例７における幼児沐浴用手桶７０においても、第２貯液部１６から流れ出ようとする湯Ｂを、確実に開口部１７の幅方向における中央部部位から外側へ流出させることができるため、弾性変形するゴムシート１９による影響を受けずに、開口部１７から均一に流出させることができる。
【０１１１】
勿論、仕切り部材は、上述した仕切り板７４のように伸縮可能に形成しなくても、桶本体１２に取り付けたとき、該仕切り部材の上端部が、開口部１７、すなわち、桶本体１２の上端部と略一致する、或いは、突き出した取り付け形態になるよう形成してもよい。
【実施例８】
【０１１２】
その他にも、本発明における幼児沐浴用手桶は、実施例８における幼児沐浴用手桶８０のように形成することができる。
【０１１３】
具体的には、実施例８における幼児沐浴用手桶８０は、図１６に示したように、上記平面状側面部１２ｂに上述したようなゴムシート１９を具備せず形成し、桶本体１２全体を合成樹脂により形成している。  
但し、本実施例における幼児沐浴用手桶８０は、上記平面状側面部１２ｂにおける表面側部位に、直方体のウレタン部材８９を接着している。上記ウレタン部材８９は、上記平面状側面部１２ｂに対接する側の面を該平面状側面部１２ｂに相当する大きさに形成するとともに、その厚みを、上記ゴムシート１９が弾性変形する弾性変形量と略同じだけ弾性変形可能な厚みを有している。
【０１１４】
上述したように形成すれば、幼児Ａを洗髪する際、上述した実施例におけるゴムシート１９を幼児Ａの額に当接させた場合と同様の要領により、ウレタン部材８９を当接させれば、ウレタン部材８９は、額の形状に応じて弾性変形するため、額とウレタン部材８９との間の隙間を除去できる。
【０１１５】
よって、やはり桶本体１２から流出した湯Ｂが幼児Ａの顔へ流下してしまうことがない。  
さらに、本実施例における幼児沐浴用手桶８０は、ウレタン部材８９が弾性変形しても、桶本体１２内は変形することがない。  
このため、本実施例における幼児沐浴用手桶８０は、桶本体１２内に仕切り板などを一切、具備する必要がなく、桶本体１２の開口部１７の幅方向における各部位によって流出する湯Ｂの流量が異なることなく、開口部１７の幅方向における全体から均等に湯Ｂを流出させることができる。
【０１１６】
しかも、幼児沐浴用手桶８０は、合成樹脂製の桶本体１２に対してウレタン部材８９を例えば、接着、或いは溶着などにより固着するだけで容易に製造することができる。  
このため、本実施例における幼児沐浴用手桶は、上述した実施例と同様の効果を奏することができるのに加えて、簡素な構成で低コストに形成することができるという効果を得ることができる。
【実施例９】
【０１１７】
次に、実施例９における幼児沐浴用手桶１００について説明する。本実施例における幼児沐浴用手桶１００は、図１７に示したように、実施例８における幼児沐浴用手桶８０と同様に桶本体１２における平面状側面部１２ｂに相当する部位にウレタン部材８９を取り付けて一体に形成している。
【０１１８】
但し、本実施例における幼児沐浴用手桶１００は、平面状側面部１２ｂに相当する部位における、幅方向の中央部に相当する部位に、上下方向にかけてウレタン部材８９側へ膨出させて樋状の形態により形成した樋状部１０４を具備している。  
ちなみに、本実施例においては、上記平面状側面部１２ｂに相当する部位をウレタン当接部１０３に設定する。
【０１１９】
これに対して、ウレタン部材８９における上記ウレタン当接部１０３と対接する対接面は、該ウレタン当接部１０３に対応する形態で面接触可能な形態により形成している。
【０１２０】
上記構成によれば、本実施例における幼児沐浴用手桶１００は、桶本体１０２内の湯を、開口部１７の幅方向における中央部から、すなわち、樋状部１０４を通じて外側に流出させることになる。
【０１２１】
桶本体１０２から流出した直後の湯は、通常、幼児の頭部において、そのまま進行しつつ幅方向に広がりながら流出しようとする。ところが、このように、開口部１７の幅方向における中央部から積極的に流出させることで、頭部へ流出した湯Ｂが幅方向に拡散してしまうといった状態を、図１８に示したように最小限に留めておくことができ、結果的に幼児の顔の方へ流下してしまう事態が生じない。
【０１２２】
さらに、たとえ流出後の湯がある程度、頭部において拡散しても幼児Ａの顔の方へ流下してしまうことを、額へ当接させたウレタン部材８９の幅方向における両側部位によって阻止することができる。
【０１２３】
このため、例えば、本実施例における幼児沐浴用手桶１００を額に当接させた状態から幼児Ａの頭部を、より広い範囲で洗髪するために開口部１７が左右いずれの側へも向くよう幼児沐浴用手桶１００を左右交互に傾けながら湯Ｂを流出させた場合であっても、桶本体１０２から流出した湯が開口部１７に対して幅方向の外側を通じて幼児の顔の方へ流出してしまう事態が生じない。
【０１２４】
すなわち、本実施例における幼児沐浴用手桶１００は、桶本体１０２内の湯が開口部１７から流出する際においては、ウレタン部材８９を額の形状に応じて当接させることにより完全に防水することができるとともに、桶本体１０２から流出した直後の湯Ｂについても、開口部１７の幅方向における中央部に有する樋状部１０４から積極的に流出させることにより、開口部１７に対して幅方向の外側を通じて顔に流下してしまうことがなく、より迅速、且つ、安心して洗髪することができる。
【実施例１０】
【０１２５】
次に、実施例１０における幼児沐浴用手桶１１０について説明する。  
実施例１０における幼児沐浴用手桶１１０は、図１９に示したように、実施例１における幼児沐浴用手桶１０の桶本体１２のように、仕切り板１４、及び、取付けガイド部２１ａなどを具備せず、少なくとも開口部１７の周縁における幅方向の両側に、流出することを物理的に阻止する流出阻止部１１３を具備した構成を採る。
【０１２６】
具体的に、上記流出阻止部１１３は、実施例７における幼児沐浴用手桶７０において、平面状側面部１２ｂの幅方向における両側において、開口縁部１７ｃから底部にかけて上下方向に桶本体１１２に対して一体に形成させた形態により形成している。
【０１２７】
このように流出阻止部１１３を開口部１７の幅方向における両側に具備することにより、本実施例における幼児沐浴用手桶１１０も、実施例９における幼児沐浴用手桶１００と同様に、開口部１７の幅方向における両側から湯が流出することを阻止することができ、幅方向の中央部から積極的に湯を流出させることができる。
【０１２８】
このため、本実施例における幼児沐浴用手桶１１０は、やはり実施例９における幼児沐浴用手桶１００の場合と同様の作用により、流出した湯が顔の方へ流下してしまうことを完全に阻止することができるといった効果を奏することができる。
【実施例１１】
【０１２９】
また、幼児沐浴用手桶は、実施例１１に示したように形成することもできる。  
具体的に、本実施例における幼児沐浴用手桶１２０は、図２０に示したように、実施例１における幼児沐浴用手桶１０の構成に対して、桶本体１２内の幅方向における両側部位において流出阻止部１１３を桶本体１２２と一体に形成している。
【０１３０】
さらに、本実施例におけるゴムシート１２９は、実施例１におけるゴムシート１９と比較して幅小とした形態で平面状側面部１２２ｂの幅方向における流出阻止部１１３の間において具備している。
【０１３１】
ちなみに、本実施例における幼児沐浴用手桶１２０も、実施例１における幼児沐浴用手桶１０のように、仕切り板１４、及び、取付けガイド部２１ａなどは具備しないで形成している。
【０１３２】
上記構成を採る幼児沐浴用手桶１２０も、実施例９における幼児沐浴用手桶１００、及び、実施例１０における幼児沐浴用手桶１１０と同様の作用、効果を奏することができる。すなわち、流出阻止部１１３を平面状側面部１２２ｂの幅方向における両側に具備することにより、桶本体１２２内から流出した湯が幼児の頭部において拡散して顔の方へ流下してしまうことを阻止することができる。
【０１３３】
ちなみに、本実施例におけるゴムシート１２９は、実施例１におけるゴムシート１９と比較して幅小に形成しているが、額に当接させたとき、その幅の範囲で幼児の額の形状に応じて弾性変形し、額と開口縁部１７ｃとの隙間における防水作用を充分、発揮することができる。
【実施例１２】
【０１３４】
実施例１２における幼児沐浴用手桶１３０は、実施例１１における幼児沐浴用手桶１２０をさらに改良した構成を採る。
【０１３５】
具体的に、本実施例における幼児沐浴用手桶１３０は、ゴムシート１９を、実施例１１におけるゴムシート１２９のように幅小に形成せず、実施例１におけるゴムシート１９と同様に、平面状側面部１３２ｂの幅と略同一の直径を有する半円弧状に形成している。
【０１３６】
一方、流出阻止部１３３は、桶本体１３２内において実施例１１における流出阻止部１１３と同一部位に具備させているが、断面視するとゴムシート１９が弾性変形する範囲に相当する部位を切り欠いた形態の切り欠き部１３３ａを形成している。
【０１３７】
上記切り欠き部１３３ａは、ゴムシートを額に当接させたとき、額の形状に対応した形状に弾性変形可能とする切り欠き量で切り欠いており、流出阻止部１１３における切り欠き部１３３ａの縁部１３３ａには、弾性変形したゴムシート１９が当接するよう形成している。
【０１３８】
上記構成を採る幼児沐浴用手桶１３０は、流出阻止部１３３に切り欠き部１３３ａを形成することで、流出阻止部１３３を具備し、ゴムシート１９を幅広に形成した形態であっても、ゴムシート１９を額の幅全体に当接可能に積極的に弾性変形させることができる。  
このため、上記幼児沐浴用手桶１３０は、優れた防水性を確保することができる。
【０１３９】
勿論、流出阻止部１３３とゴムシート１９との間は、ゴムシートが弾性変形することにより、この間の隙間を完全に除去することができるため（図２１中のゴムシートの仮想線参照）、この間を通じて桶本体１３２内の湯が外部へ流出してしまうことがない。
【０１４０】
以上により、本実施例においても、開口部１７の幅方向における両側に流出阻止部１３３を具備することにより、幅方向の両側からの流出を完全に阻止できるため、たとえゴムシート１９が開口部１７の幅方向における中央部において弾性変形した状態であっても、桶本体１３２の湯は、開口部１７の幅方向における中央部から積極的に流出させることができる。
【０１４１】
従って、本実施例における幼児沐浴用手桶１３０は、実施例９における幼児沐浴用手桶１００、及び、実施例１０における幼児沐浴用手桶１１０、及び、実施例１１における幼児沐浴用手桶１２０と同様の作用、効果を奏することができ、流出させた湯が幼児の顔の方へ流出してしまうことを完全に阻止することができる。
【０１４２】
さらにまた、本実施例における幼児沐浴用手桶１３０は、例えば、複雑な形態の仕切り板なども具備することなしに、シンプルな構成によって流出させた湯が顔に流下させることがないよう構成することができるといった効果も得ることができる。
【実施例１３】
【０１４３】
また、幼児沐浴用手桶は、図２２に示したように形成することもできる。  
すなわち、本実施例における幼児沐浴用手桶１４０は、桶本体１２内に仕切り板１４４を具備しているが、該仕切り板１４４は、その上端において幅方向の両側に流出阻止部１４３を具備している。
【０１４４】
上記流出阻止部１４３は、桶本体１２内の開口部１７において第１貯液部１５側に仕切り板１４４を屈曲させた部位であって、板状に形成している。
【０１４５】
ちなみに、上記幼児沐浴用手桶１４０は、桶本体１２に対して仕切り板１４４を着脱可能に形成すべく、桶本体１２、及び、仕切り板１４４に上記取付けガイド部２１ａ、及び、被取付けガイド部２１ｂを具備しているが、その形態は、実施例１における幼児沐浴用手桶１０と同様の形態であるため、同一の符合を付してその説明を省略する。
【０１４６】
さらに、上記仕切り板１４４を桶本体１２に取り付けたとき、流出阻止部１４３における外側縁部が桶本体１２の内壁面にぴたりと当接するため、開口部１７における第１貯液部１５の幅方向の両側を流出阻止部１４３によって閉塞することができる。
【０１４７】
上記構成により、ゴムシート１９を額に当接させた状態において、該ゴムシート１９は弾性変形するが、第１貯液部１５においては、図２３に示したように、開口部１７の幅方向における両側には、流出阻止部１４３が存在するため、幅方向における中央部からのみ湯を流出させることができる。
【０１４８】
また、仕切り板１４４は、開口部１７を正面視したとき、その幅方向の中間部位を下方に湾曲させた形状に形成しているため、第２貯液部１６においても幅方向の中央部から流出させることができる（上記図２３参照）。
【０１４９】
従って、本実施例における幼児沐浴用手桶１４０においても、桶本体１２内の湯を開口部１７の幅方向における中央部から積極的に流出させることができ、上述した実施例における上記幼児沐浴用手桶１００，１１０，１２０，１３０と同様に幼児の顔に流出した湯が流下することを回避することができるといった効果を奏することができる。
【実施例１４】
【０１５０】
また、上述した実施例９における樋状部１０４、実施例１０，１１，１２における流出阻止部１１３，１３３、及び、実施例１３における仕切り板１４４についても、上述した形態に限定しない。  
上記流出阻止部１１３，１３３は、例えば、内部を中空状に形成したり、桶本体１２２，１３２に対して着脱可能に形成することもできる。
【０１５１】
以下では、他の形態を採る流出阻止部、及び、桶本体に対して着脱可能に形成した流出阻止部についての一例を示す。
【０１５２】
具体的には、図２４（ａ）、及び、図２４（ａ）におけるＡ−Ａ断面図に示したように、桶本体１５２内における流出阻止部材１５３が対接する所定の内壁面に、上下方向にかけて突状のガイド部１５２ａを、２箇所において互いになす角が略９０度に保たれるよう形成している。
【０１５３】
これに対して、上記ガイド部１５２ａに対応する部位には、流出阻止部材１５３を桶本体１５２に取り付けたとき、上記ガイド部１５３ａに係合される凹状の被ガイド部１５３ａを形成している。
【０１５４】
さらに、上記ガイド部１５２ａの上部には、位置決め突部１５２ｃを形成するとともに、上記流出阻止部材１５３における上記位置決め突部１５３ｃに対向する部位には、該位置決め突部１５３ｃに係合可能な位置決め凹部１５３ｄを形成している。  
これにより、上記流出阻止部材１５３が桶本体１５２に対して取り外れないよう上下方向について位置決めすることができる。
【０１５５】
上述したように上記流出阻止部材１５３を桶本体１５２に対して着脱可能に構成することにより、該流出阻止部材１５３は、金型成形により、桶本体１５２に対して一体に形成する必要がないため、例えば、成形時における抜き勾配などを考慮することなく様々な形態で形成することができる。  
さらに、流出阻止部材１５３が不要時には、桶本体１５２から取り外して該桶本体１５２内の容量を広く確保して用いることができる。
【０１５６】
以下では、他の形態を採る桶本体に対して着脱可能な流出阻止部材について説明するが、上述した実施例１４における桶本体１５２に対して着脱可能な流出阻止部材１５３と同様の形態を採るものについては、同一の符号を付してその説明を省略する。
【実施例１５】
【０１５７】
具体的には、図２４（ｂ）、及び、図２４（ａ）におけるＢ−Ｂ断面図に示したように、流出阻止部材１６３は、上下方向にかけて、その側面部をテーパ状に形成することができる。
【０１５８】
このように構成すれば、上記実施例１４における側面部が直線状の流出阻止部材１５３と比較して桶本体１６２内の容量を大きく確保することができる。よって、１回あたりに汲み上げることのできる湯を増量させることができ、たくさんの湯を効率的に洗髪するために用いることができる。
【０１５９】
さらに、桶本体１６２内の湯を外部へ流出させる際に、流出阻止部材１６３は、湯の流出を妨げるどころか、開口部１７の幅方向における中央側へと桶本体１６２内の湯を規制（誘導）することができる。このため、桶本体１６２を少し傾けて湯を流出させるだけで、しっかりと頭部に残留するシャンプーなどの洗剤を洗い流すことができる。
【実施例１６】
【０１６０】
さらに、実施例１６における流出阻止部材１７３のように形成することができる。  
すなわち、実施例１６における流出阻止部材１７３は、図２４（ｃ）、及び、図２４（ａ）におけるＣ−Ｃ断面図に示したように、桶本体１７２内の開口部１７における縁部１７ｃのみに形成することができる。
【０１６１】
上記構成により、流出阻止部材１７３は、少なくとも開口部１７の縁部１７ｃのみ具備していれば、開口部１７の幅方向における外側からの流出を阻止することができるため、最小限の合成樹脂材料により、流出阻止部材１７３としての機能を発揮することができる。
【実施例１７】
【０１６２】
その他にも、実施例１７における流出阻止部材１８３のように形成することができる。  
すなわち、図２５に示したように、実施例１７における流出阻止部材１８３は、該流出阻止部材１８３における上端部に、桶本体１８２の開口部１７における周縁部１７ｃであって、円筒状側面部１８２ａに相当する部位に係合可能な係合部１８３ａを具備している。
【０１６３】
ちなみに、上記桶本体１８２における円筒状側面部１８３ａは、その周方向において一定の曲率を有して形成している。
【０１６４】
上記構成により、係合部１８３ａを開口部１７の幅方向における両側に相当する開口縁部１７ｃに係合することにより、流出阻止部材１８３を、上述した実施例における樋状部１０４、流出阻止部１１３，１３３，１４３、及び、流出阻止部材１５３，１６３，１７３と同様の作用、効果を奏することができる。
【０１６５】
特に、本実施例における流出阻止部材１８３は、係合部１８３ａを開口部１７の縁部１７ｃに係合させる構成を採るため、桶本体１８２に対して容易に着脱することが可能であるとともに、しっかりと取り付けることができる。
【０１６６】
ところで、幼児の頭部以外の他の部位を沐浴する場合は、桶本体１８２内の湯を、開口部１７の幅方向における両側から流出することを阻止する必要がなく、むしろ開口部１７全体から積極的に流出させる方が好ましいといえる。
【０１６７】
このため、流出阻止部材１８３を、例えば、開口部の縁部１７ｃにおける取手１３の有する側に係合しておけば（図２５仮想線参照）、流出阻止部材１８３が桶本体１８２内から湯が流出することを阻害することがなく、また、流出阻止部材１８３自体が紛失してしまうことや、邪魔になることもない。
【０１６８】
勿論、流出阻止部材１８３を開口部の縁部１７ｃに取り付ける手段は、上記係合部１８３ａに限らず、例えば、クリップなど他の取付け手段であってもよい。
【実施例１８】
【０１６９】
最後に、実施例１８における幼児沐浴用手桶９０について説明する。本実施例のように、幼児沐浴用手桶９０は、桶本体９２に対して取手９３を着脱可能に形成するなど、取手についても上述した実施例における取手１３とは異なる形態で形成することがでる。  
具体的に、本実施例における幼児沐浴用手桶９０は、図２６に示したように、幼児沐浴用手桶９０は、桶本体９２と取手９３とを別個独立して形成し、さらに、取手９３は、上記桶本体９２における、上述した一体に取手１３が成形されて取り付いていた部位に係合部９２ａを形成する。これに対して、取手９３における基部側には、上記係合部に係合される被係合部９３ａを形成する。
【０１７０】
これにより、使用時には、取手９３の被係合部９３ａを桶本体９２の係合部９２ａに取り付ければ（図２６中の仮想線参照）、上述した実施例における取手１３と同様に用いることができる。
【０１７１】
これに対して、例えば、収納時、或いは、幼児沐浴用手桶９０自体を販売する際などにおいては、取手９３を桶本体９２から取り外し、該取り外した取手９３を開口部１７を通じて桶本体９２内に収納すれば（図２６中の矢印参照）、取手は、完全に桶本体９２内に収納することができる。
【０１７２】
すなわち、実施例９における幼児沐浴用手桶９０は、該幼児沐浴用手桶９０自体をコンパクトな形態とすることができるため、持ち運びが容易であり、販売時には、コンパクトに包装することができ、収納時にも場所を要しない。
【０１７３】
勿論、桶本体と取手との着脱可能な着脱手段（取付け手段）は、上述した図２６に示したような桶本体９２側に形成した係合部９２ａと取手９３側に形成した被係合部９３ａとの構成に限定せず、嵌合、バックルなど他の取付け手段を用いて形成してもよい。
【０１７４】
また、上述の実施形態と、この発明の構成との対応において、この実施形態の幼児沐浴用手桶１０，２０，３０，４０，５０，６０，７０，８０，９０，１００，１１０，１２０，１３０，１４０は、この発明の乳幼児沐浴用手桶に対応し、以下同様に、
幼児Ａは、乳幼児に対応し、
ゴムシート１９，１２９、及び、ウレタン部材８９，１０３は、弾性当接部に対応し、
平面状側面部１２ｂ，１２２ｂは、平面状に形成した側壁面に対応し、
仕切り板１４，２４，３４，４４，５４，６４，７４，１４４は、仕切り部材に対応し、
特に、仕切り板２４，３４，４４，５４は、開口部１７を正面視したとき、弾性当接部に対して垂直方向の成分を水平方向の成分と比較して積極的に配して形成した仕切り部材に対応し、
流出阻止部１１３，１３３，１４３、及び、流出阻止部材１５３，１６３，１７３，１８３は、流出阻止部に対応するも、
この発明は、上述した実施形態のように様々な形態を採ることができるものの実施形態の構成のみに限定されるものではなく、その他にも多くの実施の形態を得ることができる。
【図面の簡単な説明】
【０１７５】
【図１】実施例１における幼児沐浴用手桶の外観図。
【図２】一部拡大して示した実施例１における幼児沐浴用手桶の平面図。
【図３】一部拡大して示した実施例１における幼児沐浴用手桶の縦断面図。
【図４】一部内部形態を断面図により示した実施例１における幼児沐浴用手桶の正面図。
【図５】実施例１における幼児沐浴用手桶を一部仮想線で示した他の外観図。
【図６】実施例１における幼児沐浴用手桶の使用状態を示す説明図。
【図７】実施例２における幼児沐浴用手桶の平面図（ａ）、実施例２における幼児沐浴用手桶の縦断面図（ｂ）。
【図８】実施例２における幼児沐浴用手桶の作用説明図。
【図９】実施例３における幼児沐浴用手桶の平面図（ａ）、実施例３における幼児沐浴用手桶の縦断面図（ｂ）。
【図１０】実施例３における幼児沐浴用手桶の作用説明図。
【図１１】実施例４における幼児沐浴用手桶の平面図（ａ）、実施例４における幼児沐浴用手桶の縦断面図（ｂ）。
【図１２】実施例４における幼児沐浴用手桶の作用説明図。
【図１３】実施例５における幼児沐浴用手桶を一部仮想線で示した外観図。
【図１４】実施例６における幼児沐浴用手桶を一部仮想線で示した外観図。
【図１５】一部拡大して断面図により示した実施例７における幼児沐浴用手桶の平面図（ａ）、実施例７における幼児沐浴用手桶の縦断面図（ｂ）。
【図１６】実施例８における幼児沐浴用手桶の使用状態を示す説明図。
【図１７】実施例９における幼児沐浴用手桶を一部仮想線で示した外観図。
【図１８】実施例９における幼児沐浴用手桶の作用説明図。
【図１９】実施例１０における幼児沐浴用手桶の平面図（ａ）、図１９（ａ）におけるＡ−Ａ断面図（ｂ）。
【図２０】実施例１１における幼児沐浴用手桶の平面図（ａ）、図２０（ａ）におけるＡ−Ａ片断面図。
【図２１】実施例１２における幼児沐浴用手桶の平面図。
【図２２】実施例１３における幼児沐浴用手桶を一部仮想線で示した外観図。
【図２３】実施例１３における幼児沐浴用手桶の作用説明図。
【図２４】一部拡大して示した実施例１４における幼児沐浴用手桶の要部を示す説明図（ａ）、実施例１５における幼児沐浴用手桶の要部を示す説明図（ｂ）、一部拡大して示した実施例１６における幼児沐浴用手桶の要部を示す説明図（ｃ）。
【図２５】実施例１７における幼児沐浴用手桶の要部を示す作用説明図。
【図２６】実施例１８における幼児沐浴用手桶の作用説明図。
【符号の説明】
【０１７６】
１０，２０，３０，４０，５０，６０，７０，８０，９０，１００，１１０，１２０，１３０，１４０…幼児沐浴用手桶
１２，９２，１０２，１１２，１２２，１３２，１５２，１６２，１７２，１８２…桶本体
１２ｂ，１２２ｂ…平面状側面部
１３，９３…取手
１４，２４，３４，４４，５４，６４，７４，１４４…仕切り板（仕切り部材）
１７…開口部
２１ａ…取付けガイド部
２１ｂ…被取付けガイド部
１９，１２９…ゴムシート
８９，１０３…ウレタン部材
１１３，１３３，１４３…流出阻止部
１５３，１６３，１７３，１８３…流出阻止部材
【図１】
0004641903.tif 000002
【図２】
0004641903.tif 000003
【図３】
0004641903.tif 000004
【図４】
0004641903.tif 000005
【図５】
0004641903.tif 000006
【図６】
0004641903.tif 000007
【図７】
0004641903.tif 000008
【図８】
0004641903.tif 000009
【図９】
0004641903.tif 000010
【図１０】
0004641903.tif 000011
【図１１】
0004641903.tif 000012
【図１２】
0004641903.tif 000013
【図１３】
0004641903.tif 000014
【図１４】
0004641903.tif 000015
【図１５】
0004641903.tif 000016
【図１６】
0004641903.tif 000017
【図１７】
0004641903.tif 000018
【図１８】
0004641903.tif 000019
【図１９】
0004641903.tif 000020
【図２０】
0004641903.tif 000021
【図２１】
0004641903.tif 000022
【図２２】
0004641903.tif 000023
【図２３】
0004641903.tif 000024
【図２４】
0004641903.tif 000025
【図２５】
0004641903.tif 000026
【図２６】
0004641903.tif 000027